(57)【要約】【課題】目的に合うようにテンプレートを自在に選択してホームページを容易に事前確認することである。【解決手段】ホームページ作成支援装置は、ホームページでの訴求種類の複数のテンプレート３１１を表示する第１表示制御手段と、複数のテンプレートから選択された訴求種類のテンプレートに、ホームページに掲載する掲載情報が当て嵌められたホームページをプレビュー表示する第２表示制御手段と、を備える。【選択図】図９
2020091715.tif 000002
【特許請求の範囲】
【請求項１】
ホームページでの訴求種類の複数のテンプレートを表示する第１表示制御手段と、
前記複数のテンプレートから選択された訴求種類のテンプレートに、ホームページに掲載する掲載情報が当て嵌められたホームページをプレビュー表示する第２表示制御手段と、を備えるホームページ作成支援装置。
【請求項２】
前記複数のテンプレートは、訴求種類に応じて複数の掲載情報の配置の順番が異なる請求項１に記載のホームページ作成支援装置。
【請求項３】
前記第１表示制御手段は、前記複数のテンプレートのそれぞれに対応する複数のスタイルを表示し、
前記第２表示制御手段は、前記選択された訴求種類及びスタイルに対応するテンプレートに、ホームページに掲載する掲載情報が当て嵌められたホームページをプレビュー表示する請求項１又は２に記載のホームページ作成支援装置。
【請求項４】
前記スタイルは、配色、文字の大きさ、フォント、背景画像の少なくとも１つである請求項３に記載のホームページ作成支援装置。
【請求項５】
前記第１表示制御手段は、前記スタイルが選択された場合に、当該選択されたスタイルに対応するテンプレートを表示する請求項３又は４に記載のホームページ作成支援装置。
【請求項６】
前記プレビュー表示されたホームページに基づいて、ホームページデータを作成する作成手段を備える請求項１から５のいずれか一項に記載のホームページ作成支援装置。
【請求項７】
所定の事象が生じたタイミングに応じて、前記作成されたホームページデータのテンプレートを当該事象に対応する訴求種類のテンプレートへ更新する提案を行う提案手段を備える請求項６に記載のホームページ作成支援装置。
【請求項８】
コンピュータを、
ホームページでの訴求種類の複数のテンプレートを表示する第１表示制御手段、
前記複数のテンプレートから選択された訴求種類のテンプレートに、ホームページに掲載する掲載情報が当て嵌められたホームページをプレビュー表示する第２表示制御手段、
として機能させるためのプログラム。
【発明の詳細な説明】
【技術分野】
【０００１】
本発明は、ホームページ作成支援装置及びプログラムに関する。
【背景技術】
【０００２】
従来、食堂、レストランなどの飲食店舗において、提供する料理などの販促効果を高める目的でホームページデータをＰＣ（Personal Computer）などにより作成し公開する技術が知られている。
【０００３】
ホームページの作成は、Ｗｅｂデザイナーなどの専門家に依頼するとコストが高いため、飲食店舗のオーナーなどのユーザ自身がホームページの作成を希望することがある。しかし、当該ユーザは、専門的なスキル及びノウハウが乏しいことも多く、販促効果の高いホームページを作成するのが難しい。
【０００４】
このため、例えば、ユーザが入力した趣向データを取得し、取得した趣向データを所定のテンプレートに貼り付けることにより、ホームページを容易に作成するホームページ作成システムが知られている（特許文献１参照）。
【先行技術文献】
【特許文献】
【０００５】
【特許文献１】特開平１０−２６９２９７号公報
【発明の概要】
【発明が解決しようとする課題】
【０００６】
しかし、ホームページ作成にテンプレートを用いる場合に、どのテンプレートを選べば訴求効果の高いホームページになるかをユーザが考えて選択する必要がある。訴求とは、広告・販売において、売り手が消費者の要求に働きかけることである。このため、ユーザが目的に合うようにテンプレートを自在に選択して（試して）ホームページを容易に事前確認することが好ましい。
【０００７】
本発明の課題は、目的に合うようにテンプレートを自在に選択してホームページを容易に事前確認することである。
【課題を解決するための手段】
【０００８】
上記課題を解決するために、本発明のホームページ作成支援装置は、ホームページでの訴求種類の複数のテンプレートを表示する第１表示制御手段と、前記複数のテンプレートから選択された訴求種類のテンプレートと、ホームページに掲載する掲載情報と、を合成してホームページをプレビュー表示する第２表示制御手段と、を備える。
【発明の効果】
【０００９】
本発明によれば、目的に合うようにテンプレートを自在に選択してホームページを容易に事前確認できる。
【図面の簡単な説明】
【００１０】
【図１】本発明の実施の形態のホームページ作成支援システムを示す概略構成図である。
【図２】ＨＰサーバの機能構成を示すブロック図である。
【図３】端末装置の機能構成を示すブロック図である。
【図４】（ａ）は、ユーザテーブルを示す図である。（ｂ）は、テンプレートテーブルを示す図である。（ｃ）は、ＨＰ情報テーブルを示す図である。
【図５】ＨＰデータ管理処理を示すフローチャートである。
【図６】ＨＰデータ作成処理を示すフローチャートである。
【図７】ホーム画面を示す図である。
【図８】基本情報入力画面を示す図である。
【図９】テンプレート選択画面を示す図である。
【図１０】コンテンツ入力画面を示す図である。
【図１１】詳細情報入力画面を示す図である。
【図１２】最終確認画面を示す図である。
【図１３】ベーシックのテンプレートを用いたホームページの表示例を示す図である。
【図１４】イベント訴求のテンプレートを用いたホームページの表示例を示す図である。
【図１５】ＰＯＰ訴求のテンプレートを用いたホームページの表示例を示す図である。
【図１６】コンセプト訴求のテンプレートを用いたホームページの表示例を示す図である。
【図１７】ＨＰ更新提案処理を示すフローチャートである。
【発明を実施するための形態】
【００１１】
以下、添付図面を参照して本発明に係る実施の形態を詳細に説明する。なお、本発明は、図示例に限定されるものではない。
【００１２】
図１〜図１１を参照して、本発明に係る実施の形態を説明する。まず、図１〜図３を参照して、本実施の形態の装置構成を説明する。図１は、本実施の形態のホームページ作成支援システム１を示す概略構成図である。図２は、ＨＰ（Home Page）サーバ１０の機能構成を示すブロック図である。図３は、端末装置２０の機能構成を示すブロック図である。
【００１３】
本実施形態のホームページ作成支援システム１は、ユーザのホームページデータの作成を支援し管理するシステムである。図１に示すように、ホームページ作成支援システム１は、ホームページ作成支援装置としてのＨＰサーバ１０と、端末装置２０と、を備える。ホームページ作成支援システム１の各装置は、通信ネットワークＮを介して通信接続されている。
【００１４】
本実施の形態では、端末装置２０のユーザが、食堂、レストランなどの飲食店舗のオーナー、従業員などとし、ホームページデータは、当該飲食店舗で公開するホームページのデータであるものとして説明する。このように、端末装置２０のユーザがホームページの管理人であるものとする。ＨＰサーバ１０は、複数の飲食店舗の各ユーザそれぞれにホームページデータ作成及び管理のサービスを提供する。
【００１５】
ＨＰサーバ１０は、飲食店舗の情報公開、提供する料理の販売促進などを目的とするホームページのホームページデータを作成し、作成されたホームページデータの保存、公開などを管理するサーバ装置である。ＨＰサーバ１０は、端末装置２０からの要求に応じて、ＰＯＰデータを作成するための表示情報を端末装置２０に送信し、また操作入力されたホームページデータを作成するための入力情報を端末装置２０から受信する。
【００１６】
また、ＨＰサーバ１０は、飲食店舗におけるイベントなどの情報の告知、料理の販売促進などを目的とした広告としてのＰＯＰ（Point Of Presence）データを作成し管理する機能を有するものとする。
【００１７】
端末装置２０は、各ユーザが所持する端末装置であり、ここでは、比較的画面が小さい携帯端末としてのスマートフォンであるものとして説明する。ただし、これに限定されるものではなく、端末装置２０が、タブレットＰＣ（Personal Computer）、ノートＰＣや、デスクトップＰＣなど、他の端末装置としてもよい。端末装置２０は、ＨＰサーバ１０から送信される各種表示情報を受信して表示し、またユーザの操作入力を受け付けてその操作情報をＨＰサーバ１０へ送信する。
【００１８】
通信ネットワークＮは、インターネットにより構成されているものとするが、ＬＡＮ（Local Area Network）、ＷＡＮ（Wide Area Network）などを含めてもよい。端末装置２０は、通信ネットワークＮ上の基地局又はアクセスポイント（図示略）との無線通信を介して通信ネットワークＮ接続されている。
【００１９】
また、ホームページ作成支援システム１は、各種端末装置２０で利用される他のアプリケーションプログラムを実行可能なように構成されていてもよい。当該アプリケーションプログラムとしては、例えば、店舗等の日別・月別の売上集計や分析を行う売上管理業務や、固定資産税や個人事業税等の納税処理を行う会計管理業務や、従業員の給与計算の処理を行う給与管理業務や、店舗等の人員シフトの管理と従業員の勤怠管理の処理を行う就業管理業務や、関連事業者や従業員への通達文書の作成・管理を行う文書管理業務等を行うものが挙げられ、これらが実行可能とされていることで、ホームページ作成支援システム１が経営支援システムとして機能するものとしてもよい。
【００２０】
次いで、図２を参照して、ＨＰサーバ１０の内部構成を説明する。図２に示すように、ＨＰサーバ１０は、第１、第２表示制御手段、作成手段、提案手段としてのＣＰＵ（Central Processing Unit）１１と、操作部１２と、ＲＡＭ（Random Access Memory）１３と、表示部１４と、記憶部１５と、通信部１６と、計時部１７と、を備える。ＨＰサーバ１０の各部は、バス１８を介して接続されている。
【００２１】
ＣＰＵ１１は、記憶部１５に記憶されているシステムプログラム、アプリケーションプログラムのうち指定されたプログラムを読み出してＲＡＭ１３のワークエリアに展開し、当該展開されたプログラムに従って各部を制御する。
【００２２】
操作部１２は、カーソルキー、文字、数字入力キー及び各種機能キー等を備えたキーボード、マウスなどのポインティングデバイスを含む構成とし、ユーザによる各キーの押下入力、位置入力を受け付けてその操作情報をＣＰＵ１１に出力する。
【００２３】
ＲＡＭ１３は、揮発性のメモリである。また、ＲＡＭ１３は、実行される各種プログラムやこれら各種プログラムに係るデータなどを格納するワークエリアを有する。
【００２４】
表示部１４は、ＬＣＤ（Liquid Crystal Display）、ＥＬ（ElectroLuminescence）ディスプレイなどで構成され、ＣＰＵ１１からの表示制御信号に従って画面表示を行う。
【００２５】
記憶部１５は、ＨＤＤ（Hard Disk Drive）、ＳＳＤ（Solid State Drive）などにより構成される。記憶部１５には、ＣＰＵ１１で実行されるシステムプログラムやアプリケーションプログラム、や各種データなどが記憶されている。これらのプログラムは、コンピュータ読み取り可能なプログラムコードの形態で記憶部１５に格納されている。
【００２６】
記憶部１５は、後述するＨＰデータ管理プログラムＰ１、ＨＰ更新提案プログラムＰ２、ユーザテーブル３０、テンプレートテーブル４０、ＨＰ情報テーブル５０や、各ユーザが有する料理、店舗の写真などの画像データ、ホームページデータ作成に用いるテンプレート、作成したホームページデータなどを記憶する。記憶部１５に記憶されるテンプレートは、ホームページの雛型となるデータであり、ホームページの訴求種類に応じたデザインとなっており、例えばＷｅｂデザイナーなどの専門家により作成されている。
【００２７】
通信部１６は、ルータ、ネットワークカードなどにより構成される。ＣＰＵ１１は、通信部１６を介して、通信ネットワークＮ上の端末装置２０などと通信接続してデータの送受信を行う。
【００２８】
計時部１７は、リアルタイムクロックであり、現在日時を計時し、その現在日時情報をＣＰＵ１１に出力する。
【００２９】
次いで、図３を参照して、端末装置２０の内部構成を説明する。図３に示すように、端末装置２０は、ＣＰＵ２１と、操作部２２と、ＲＡＭ２３と、表示部２４と、記憶部２５と、無線通信部２６と、撮像部２７と、通話部２８と、を備える。端末装置２０の各部は、バス２９を介して接続されている。
【００３０】
ＣＰＵ２１、ＲＡＭ２３、表示部２４は、それぞれ、ＨＰサーバ１０のＣＰＵ１１、ＲＡＭ１３、表示部１４の構成と略同様であり、異なる部分を主として説明する。
【００３１】
ＣＰＵ２１は、記憶部２５に記憶されているシステムプログラム、アプリケーションプログラムのうち指定されたものを読み出してＲＡＭ２３のワークエリアに展開し、当該展開されたプログラムに従って各部を制御する。特に、ＣＰＵ２１は、無線通信部２６を介してＨＰサーバ１０から受信した各種表示情報を表示部２４に表示し、操作部２２を介してユーザからの操作入力された入力情報を、適宜無線通信部２６を介してＨＰサーバ１０に送信する。
【００３２】
操作部２２は、表示部２４の表示画面上に設けられたタッチパネルであり、ユーザからのタッチ入力を受け付け、その操作情報をＣＰＵ２１に出力する。
【００３３】
記憶部２５は、フラッシュメモリなどの不揮発性のメモリにより構成される。記憶部２５には、ＣＰＵ２１で実行される各種プログラム、各種データなどが記憶されている。
【００３４】
無線通信部２６は、アンテナ、変復調回路、信号処理回路などを有し、通信ネットワークＮ上の基地局又はアクセスポイントと、モバイル通信方式、無線ＬＡＮ通信方式などの通信方式で無線通信を行う。ＣＰＵ２１は、無線通信部２６を介して、通信ネットワークＮ上のＨＰサーバ１０などと通信を行う。
【００３５】
撮像部２７は、光学系及び撮像素子を有するデジタルカメラ部であり、ＣＰＵ２１の指示に従い、被写体を撮像してその画像データを生成する。
【００３６】
通話部２８は、マイク、スピーカなどを有し、通話用に、マイクを介してユーザの音声入力を受け付けて音声データを生成して出力し、また入力された音声データをスピーカから音声出力する。
【００３７】
端末装置２０は、図示しないが電池などの電源部を備え、他にも、ＮＦＣ（Near Field Communication）などの近距離通信部など、他の構成部を備える構成としてもよい。
【００３８】
つぎに、図４を参照して、ＨＰサーバ１０の記憶部１５に記憶する情報を説明する。図４（ａ）は、ユーザテーブル３０を示す図である。図４（ｂ）は、テンプレートテーブル４０を示す図である。図４（ｃ）は、ＨＰ情報テーブル５０を示す図である。
【００３９】
ユーザテーブル３０は、ユーザに関する情報を有するテーブルである。図４（ａ）に示すように、ユーザテーブル３０は、ユーザＩＤ３１、ログインＩＤ３２、パスワード３３、画像場所３４、ＨＰＩＤ３５、ＨＰ管理情報３６、メールアドレス３７のカラムを有する。
【００４０】
ユーザＩＤ３１は、各ユーザの識別情報である。ログインＩＤ３２は、ユーザＩＤ３１のユーザのログインＩＤである。パスワード３３は、ログインＩＤ３２に対応するパスワードである。
【００４１】
画像場所３４は、ユーザＩＤ３１のユーザが有する画像データの記憶部１５内の格納場所である。ＨＰＩＤ３５は、ユーザＩＤ５１のユーザのホームページデータの識別情報である。ＨＰ管理情報３６は、ホームページデータの記憶部１５内の格納場所などの情報である。メールアドレス３７は、ユーザＩＤ５１のユーザのメールアドレスである。
【００４２】
テンプレートテーブル４０は、記憶部１５に記憶されているホームページデータ作成用のテンプレートに関する情報を格納するテーブルである。図４（ｂ）に示すように、テンプレートテーブル４０は、テンプレートＩＤ４１、訴求種類４２、スタイル４３のカラムを有する。
【００４３】
テンプレートＩＤ４１は、ホームページ用のテンプレートの識別情報である。本実施の形態において、ＰＣ（Personal Computer）や、スマートフォンなどを用いた閲覧用に、縦スクロールが可能なホームページが作成するものとする。訴求種類４２は、テンプレートＩＤ４１のテンプレートを用いて作成するホームページにおける訴求目的（店舗への集客や販売促進のために優先して伝えたい内容）の種類である。本実施の形態において、ホームページに用いるテンプレートは、訴求種類に応じて、掲載する情報の縦方向の配置の順番、レイアウト（画像及び文字列の配置など）が異にされている。
【００４４】
訴求種類４２は、例えば、ベーシック、イベント訴求、ＰＯＰ訴求、コンセプト訴求、写真訴求が用意されているものとする。ベーシックは、飲食店舗サイトに必要最低限の情報を配置して提供することを目的とした訴求種類である。イベント訴求は、イベントを目的として閲覧するユーザに対して、イベントに関する情報の提供を目的とした訴求種類である。ＰＯＰ訴求は、掲載するＰＯＰデータを最大限活用し、ＰＯＰデータの提供を目的とする訴求種類である。コンセプト訴求は、店舗や商品（料理）にこだわりがあり、その売り（コンセプト）の提供を目的とする訴求種類である。写真訴求は、商品（料理）や店舗の写真を一つ一つ大きく見せることを目的とする訴求種類である。
【００４５】
スタイル４３は、テンプレートＩＤ４１及び訴求種類４２に対応するテンプレートにおけるバリエーションであるスタイルとしての色（配色、色味）である。つまり、訴求種類４２が同じで、スタイル４３が異なるテンプレートが用意されている。スタイル４３は、テンプレートの配色が異なるバリエーションに限定されるものではなく、例えば、テンプレートの配色、文字列の文字の大きさ、フォント、背景画像（例えば、模様）などの少なくとも１つが異なるバリエーションとしてもよい。訴求種類４２が同じで、スタイル４３が異なるテンプレートにおける縦方向の掲載する情報の配置の順番は同じである。
【００４６】
ＨＰ情報テーブル５０は、作成されたホームページデータに関する情報を格納するテーブルである。ＨＰ情報テーブル５０は、図４（ｃ）に示すように、ＨＰＩＤ５１、テンプレートＩＤ５２、作成日時５３、更新日時５４、ＰＯＰＩＤ５５、ＨＰ掲載情報５６などのカラムを有する。ＨＰＩＤ５１は、作成されたホームページデータの識別情報である。テンプレートＩＤ５２は、ＨＰＩＤ５１のホームページデータに用いられたテンプレートの識別情報である。
【００４７】
作成日時５３は、ＨＰＩＤ５１のホームページデータが作成された日時の日時情報である。更新日時５４は、ＨＰＩＤ５１のホームページデータが更新された日時の日時情報である。ＰＯＰＩＤ５５は、ＨＰＩＤ５１のホームページデータに掲載されたＰＯＰデータの識別情報である。
【００４８】
ＨＰ掲載情報５６は、ＨＰＩＤ５１に対応するホームページに掲載する情報であり、簡単に１つのカラムで表現しているが、複数のカラムを有するものとする。ＨＰ掲載情報５６は、例えば、ホームページを作成したユーザの飲食店舗の店舗名、店舗名フリガナ、郵便番号、住所、電話番号、席数、特記事項などの基本情報や、掲載するメイン画像、ロゴ画像の画像データに関する情報、飲食店舗のキャッチコピー、メニュー情報、喫煙可否、喫煙の特記事項、駐車場、営業時間、定休日、平均予算、支払方法、最寄り駅、アクセス情報、地図情報、店舗紹介文（コンセプト）、店舗紹介文の特記事項、ホームページのＵＲＬ（Uniform Resource Locator）、公開の有無、イベント情報、ニュース情報などである。
【００４９】
つぎに、図５〜図１７を参照して、ホームページ作成支援システム１の動作を説明する。図５は、ＨＰデータ管理処理を示すフローチャートである。図６は、ＨＰデータ作成処理を示すフローチャートである。図７は、ホーム画面１００を示す図である。図８は、基本情報入力画面２００を示す図である。図９は、テンプレート選択画面３００を示す図である。図１０は、コンテンツ入力画面４００を示す図である。図１１は、詳細情報入力画面５００を示す図である。図１２は、最終確認画面６００を示す図である。図１３は、ベーシックのテンプレートを用いたホームページＨ１を示す図である。図１４は、イベント訴求のテンプレートを用いたホームページＨ２を示す図である。図１５は、ＰＯＰ訴求のテンプレートを用いたホームページＨ３を示す図である。図１６は、コンセプト訴求のテンプレートを用いたホームページＨ４を示す図である。図１７は、ＨＰ更新提案処理を示すフローチャートである。
【００５０】
図５、図６を参照して、ＨＰサーバ１０で実行されるＨＰデータ管理処理を説明する。ＨＰデータ管理処理は、ログインしたユーザのホームページデータ作成の支援を行い、作成したホームページデータの管理を行う処理である。ここで、ＨＰサーバ１０は、ＨＰデータ管理処理などにおいて、通信ネットワークＮを介する通信を用いて、ユーザが操作する端末装置２０に表示情報を送信して表示させ、端末装置２０を介して当該ユーザから操作入力された入力情報を受信する。このため、便宜的に、ＨＰサーバ１０のＣＰＵ１１が、端末装置２０の表示部２４に表示情報を表示し、操作部２２を介してユーザから入力情報の入力を受け付けることとして説明する。
【００５１】
ホームページ作成支援システム１において、ある飲食店舗のオーナーなどであるユーザから、所持する端末装置２０の操作部２２を介してＨＰデータ管理処理の実行指示が入力されたことをトリガとして、ＨＰサーバ１０のＣＰＵ１１は、記憶部１５から読み出されＲＡＭ１３に展開されたＨＰデータ管理プログラムＰ１との協働でＨＰデータ管理処理を実行する。
【００５２】
図５に示すように、まず、ＣＰＵ１１は、ログイン画面データを作成して表示部２４に表示し、操作部２２を介してログインＩＤ及びパスワードの入力を受け付け、記憶部１５に記憶されたユーザテーブル３０のログインＩＤ３２及びパスワード３３を用いて、ログインＩＤ及びパスワードを入力したユーザのログイン認証を行う（ステップＳ１）。そして、ＣＰＵ１１は、ログイン認証が成功したか否かを判別する（ステップＳ２）。
【００５３】
ログイン認証が失敗した場合（ステップＳ２；ＮＯ）、ステップＳ１に移行される。ログイン認証が成功した場合（ステップＳ２；ＹＥＳ）、ログインユーザのユーザＩＤ３１が決まり、ＣＰＵ１１は、ホーム画面データを生成して表示部２４に表示する（ステップＳ３）。ステップＳ３では、例えば、図７に示すホーム画面１００が表示される。
【００５４】
ホーム画面１００は、固定表示領域ＦＡ０、月間アクセス数表示領域１０１、ＨＰ作成ボタン１０２、プレビューボタン１０３、情報反映ボタン１０４、イベント登録ボタン１０５、アルバムボタン１０６、ニュース登録（お知らせ投稿）ボタン１０７、カレンダー設定ボタン１０８、サブ画像登録ボタン１０９、ＨＰ設定ボタン１１０、ＰＯＰ作成ボタン１２１を有する。
【００５５】
固定表示領域ＦＡ０は、表示部２４の表示画面の上側に配置された固定表示領域である。月間アクセス数表示領域１０１は、作成及び公開したホームページの月間アクセス数（ＰＶ：Page View）の表示領域である。ＨＰ作成ボタン１０２は、後述するＨＰ作成処理の起動のタッチ入力を受け付けるボタンである。プレビューボタン１０３は、作成したホームページデータのプレビュー表示処理を起動するためのタッチ入力を受け付けるボタンである。情報反映ボタン１０４は、イベント登録ボタン１０５、アルバムボタン１０６、ニュース登録（お知らせ投稿）ボタン１０７、カレンダー設定ボタン１０８、サブ画像登録ボタン１０９、ＨＰ設定ボタン１１０に対応する処理を行って、入力されたホームページ更新用の更新情報をホームページデータに反映する処理を起動するためのタッチ入力を受け付けるボタンである。特に、情報反映ボタン１０４は、ＨＰ作成ボタン１０２でホームページデータ作成後に公開しなかった場合、その後にホームページを公開設定する入力を受け付ける。
【００５６】
イベント登録ボタン１０５は、作成したホームページデータに追加する、ユーザの飲食店舗に関するイベント情報（イベント日付、内容情報など）の登録処理を起動するためのタッチ入力を受け付けるボタンである。アルバムボタン１０６は、ユーザの画像データを格納するアルバム（記憶部１５の画像データのフォルダをこのように表現する）への画像データの登録、変更する処理を起動するためのタッチ入力を受け付けるボタンである。ニュース登録ボタン１０７は、作成したホームページデータに追加する、ユーザの飲食店舗に関するニュース情報（ニュース日付、内容情報など）の登録処理を起動するためのタッチ入力を受け付けるボタンである。カレンダー設定ボタン１０８は、作成したホームページデータに掲載するカレンダーに関する休業日などのカレンダー情報の登録処理を起動するためのタッチ入力を受け付けるボタンである。
【００５７】
サブ画像登録ボタン１０９は、作成したメインの画像データを有するホームページデータに追加するサブの画像データの登録処理を起動するためのタッチ入力を受け付けるボタンである。ＨＰ設定ボタン１１０は、作成したホームページデータの設定情報の更新処理を起動するためのタッチ入力を受け付けるボタンである。この設定情報は、ホームページを作成したユーザの飲食店舗の基本情報や、掲載する画像データに関する情報、飲食店舗のメニュー情報、キャッチコピー、喫煙可否、喫煙の特記事項、駐車場、営業時間、定休日、平均予算、支払方法、最寄り駅、アクセス情報、地図情報、店舗紹介文、店舗紹介文の特記事項、ホームページのＵＲＬ、公開の有無などであり、テンプレート（訴求種類の変更を含む）も更新可能であるものとする。
【００５８】
ＰＯＰ作成ボタン１２１は、印刷したりホームページに掲載するＰＯＰデータの作成処理を起動するためのタッチ入力を受け付けるボタンである。ＰＯＰデータの作成処理により、ＣＰＵ１１は、例えば、選択入力されたＰＯＰデータ用のテンプレートと、文字情報及び写真などの画像データの少なくとも一方と、を合成してＰＯＰデーを作成し、ＰＯＰＩＤを付与して、作成したＰＯＰデータを記憶部１５に記憶する。なお、本実施の形態では、例えば、記憶部１５に記憶されているＰＯＰデータがＨＰ情報テーブル５０におけるＨＰＩＤ５１とＰＯＰＩＤ５５の対応に基づいてホームページデータに含められるものとする。
【００５９】
図５に戻り、ＣＰＵ１１は、操作部２２を介するユーザからのＨＰ作成ボタン１０２のタッチ入力があるか否かを判別する（ステップＳ４）。ＨＰ作成ボタン１０２のタッチ入力がある場合（ステップＳ４；ＹＥＳ）、ＣＰＵ１１は、ホームページデータを作成するＨＰデータ作成処理を実行し（ステップＳ５）、ステップＳ３に移行する。ステップＳ５のＨＰデータ作成処理は、詳細に後述する。
【００６０】
ＨＰ作成ボタン１０２のタッチ入力がない場合（ステップＳ４；ＮＯ）、ＣＰＵ１１は、操作部２２を介するユーザからのホームページデータの更新用の更新情報の入力を行うためのイベント登録ボタン１０５、ニュース登録ボタン１０７、カレンダー設定ボタン１０８、サブ画像登録ボタン１０９、ＨＰ設定ボタン１１０のタッチ入力があるか否かを判別する（ステップＳ６）。
【００６１】
イベント登録ボタン１０５などのタッチ入力がある場合（ステップＳ６；ＹＥＳ）、ＣＰＵ１１は、タッチ入力されたイベント登録ボタン１０５、ニュース登録ボタン１０７、カレンダー設定ボタン１０８、サブ画像登録ボタン１０９、ＨＰ設定ボタン１１０に対応する各種更新情報の入力を受け付け（ステップＳ７）、ステップＳ３に移行する。
【００６２】
イベント登録ボタン１０５、ニュース登録ボタン１０７、カレンダー設定ボタン１０８、サブ画像登録ボタン１０９、ＨＰ設定ボタン１１０に対応して、イベント情報、ニュース情報、カレンダー情報、サブ画像データの設定情報（格納場所など）、ＨＰ設定情報（飲食店舗の基本情報や、掲載する画像データに関する情報、キャッチコピー、飲食店舗のメニュー情報、喫煙可否、喫煙の特記事項、駐車場、営業時間、定休日、平均予算、支払方法、最寄り駅、アクセス情報、地図情報、店舗紹介文、店舗紹介文の特記事項、ホームページのＵＲＬ、公開の有無など）が更新情報として入力される。
【００６３】
イベント登録ボタン１０５などのタッチ入力がない場合（ステップＳ６；ＮＯ）、ＣＰＵ１１は、操作部２２を介してユーザから、プレビューボタン１０３、情報反映ボタン１０４又はＰＯＰ作成ボタン１２１のその他のボタンのタッチ入力があるか否かを判別する（ステップＳ８）。その他のボタンのタッチ入力がある場合（ステップＳ８；ＹＥＳ）、ＣＰＵ１１は、タッチ入力されたボタンに応じたその他の処理を実行し（ステップＳ９）、ステップＳ３に移行する。
【００６４】
ステップＳ８でアルバムボタン１０６がタッチ入力された場合、ステップＳ９で、ＣＰＵ１１は、ユーザテーブル３０の画像場所３４と、操作部２２を介するユーザからの操作入力とに応じて、記憶部１５に記憶する画像データを追加又は更新する。ステップＳ８でプレビューボタン１０３がタッチ入力された場合、ステップＳ９で、ＣＰＵ１１は、ユーザテーブル３０のＨＰ管理情報３６を用いて、記憶部１５に記憶されているホームページデータを読み出して表示部２４にプレビュー表示する。
【００６５】
ステップＳ８で情報反映ボタン１０４がタッチ入力された場合、ステップＳ９で、ＣＰＵ１１は、ステップＳ７で入力された更新情報を、記憶部１５に記憶されているホームページデータに反映し、更新情報を記憶部１５のＨＰ情報テーブル５０のＨＰ掲載情報５６に格納し、計時部１７から取得した現在日時情報を更新日時５４に格納する。特に、更新情報にホームページの公開有無の公開有が含まれる場合に、ＣＰＵ１１は、ステップＳ５のＨＰデータ作成処理により作成され記憶部１５に記憶されているホームページデータを、「ＨＰのアドレス（ＵＲＬ）」に相当する場所（例えば、記憶部１５のＵＲＬに対応するホームページ公開用のフォルダ）に格納して、当該ＵＲＬでの一般的な端末装置へのホームページ公開設定を行う。ホームページが公開されるとは、本実施の形態の端末装置２０だけでなく、通信ネットワークＮのインターネットを介して一般的なＰＣやスマートフォンなどの端末装置から閲覧可能にされることをいう。
【００６６】
ステップＳ８でＰＯＰ作成ボタン１２１がタッチ入力された場合、ステップＳ９で、ＣＰＵ１１は、操作部２２を介するユーザからの操作入力に応じて、ＰＯＰデータを作成し、ＰＯＰＩＤを付与して、作成したＰＯＰデータを記憶部１５に記憶する。
【００６７】
その他のボタンのタッチ入力がない場合（ステップＳ８；ＮＯ）、ＣＰＵ１１は、操作部２２を介するユーザからのＨＰデータ管理処理の終了入力があるか否かを判別する（ステップＳ１０）。終了入力がない場合（ステップＳ１０；ＮＯ）、ステップＳ３に移行される。終了入力がある場合（ステップＳ１０；ＹＥＳ）、ＨＰデータ管理処理が終了する。
【００６８】
ついで、図６を参照して、ステップＳ５のＨＰデータ作成処理を説明する。まず、ＣＰＵ１１は、基本情報入力画面データを作成して表示部２４に表示し、操作部２２を介するユーザからの基本情報の入力を受け付ける（ステップＳ２１）。ステップＳ２１では、例えば、図８に示す基本情報入力画面２００が表示される。
【００６９】
基本情報入力画面２００は、固定表示領域ＦＡ０，ＦＡ１と、基本情報入力領域２１０と、を有する。表示部２４の表示画面において、上側の固定表示領域ＦＡ０と、下側の固定表示領域ＦＡ１とが固定表示され、これらの間の非固定の表示領域（基本情報入力領域２１０）が、操作部２２を介する縦方向のスクロール操作により、スクロール自在に表示される。この事項は、後述するテンプレート選択画面３００、コンテンツ入力画面４００、詳細情報入力画面５００、最終確認画面６００でも同様である。
【００７０】
基本情報入力領域２１０は、スクロール可能で、基本情報の入力を受け付ける表示領域である。基本情報は、例えば、ホームページを作成したユーザの飲食店舗の店舗名、店舗名フリガナ、郵便番号、住所、電話番号、席数、特記事項である。
【００７１】
固定表示領域ＦＡ１は、戻るボタンＢ１と、次へボタンＢ２と、を有する。戻るボタンＢ１は、直前に表示されていた画面（例えば基本情報入力画面２００では、ホーム画面１００）の表示に遷移するタッチ入力を受け付けるボタンである。図６のＨＰデータ作成処理において、戻るボタンＢ１に対応する処理の説明を省略するものとする。次へボタンＢ２は、基本情報入力領域２１０で入力された基本情報を登録し次の画面に遷移するタッチ入力を受け付けるボタンである。
【００７２】
図６に戻り、ＣＰＵ１１は、操作部２２を介してユーザから次へボタンＢ２がタッチ入力されたか否かを判別する（ステップＳ２２）。次へボタンＢ２がタッチ入力されていない場合（ステップＳ２２；ＮＯ）、ステップＳ２１に移行される。次へボタンＢ２がタッチ入力された場合（ステップＳ２２；ＹＥＳ）、ＣＰＵ１１は、作成するホームページのＨＰＩＤを付与し、当該ＨＰＩＤと、ステップＳ２１で入力された基本情報とを、ユーザテーブル３０のログインユーザのユーザＩＤ３１のＨＰＩＤ３５及びＨＰ情報テーブル５０のＨＰＩＤ５１と、ＨＰ掲載情報５６とに格納して登録する（ステップＳ２３）。
【００７３】
そして、ＣＰＵ１１は、テンプレート選択画面データを作成して表示部２４に表示し、操作部２２を介するユーザからのテンプレートの選択入力を受け付ける（ステップＳ２４）。ステップＳ２４では、例えば、図９に示すテンプレート選択画面３００が表示される。
【００７４】
テンプレート選択画面３００は、固定表示領域ＦＡ０，ＦＡ２と、複数の訴求種類別のテンプレート選択領域３１０と、を有する。固定表示領域ＦＡ２は、表示部２４の表示画面の下側の固定表示領域であり、戻るボタンＢ１と、次へボタンＢ３と、を有する。
【００７５】
テンプレート選択領域３１０は、スクロール可能で、例えば、訴求種類がベーシック、イベント訴求、ＰＯＰ訴求、コンセプト訴求、写真訴求ごとに設けられ、テンプレートを選択するための領域である。テンプレート選択領域３１０は、テンプレート表示領域３１１と、訴求種類説明表示領域３１２と、スタイル表示領域３１３と、チェックボタン３１４と、ラジオボタン３１５と、を有する。
【００７６】
テンプレート表示領域３１１は、対応する訴求種類のテンプレートのイメージを表示する領域である。テンプレート表示領域３１１のテンプレートのイメージは、例えば、ステップＳ２３で登録された基本情報を反映したものとしてもよいし、基本情報を反映していないものとしてもよい。
【００７７】
訴求種類説明表示領域３１２は、テンプレート表示領域３１１に表示されたテンプレートの訴求種類の説明を表示する領域である。スタイル表示領域３１３は、対応する訴求種類のテンプレートの選択可能な複数のスタイル（ここでは配色のバリエーション）を表示する領域である。
【００７８】
チェックボタン３１４は、テンプレート表示領域３１１に表示されている訴求種類のテンプレートの選択のタッチ入力を受け付けるボタン（チェックボックス）である。ラジオボタン３１５は、スタイル表示領域３１３に表示されているスタイル（配色）の択一のタッチ入力を受け付けるラジオボタンである。ラジオボタン３１５のタッチ入力に応じて、テンプレート表示領域３１１に表示されているテンプレートのスタイル（配色）も変更される。
【００７９】
次へボタンＢ３は、テンプレート選択領域３１０で入力されたテンプレート選択情報を登録し次の画面に遷移するタッチ入力を受け付けるボタンである。
【００８０】
図６に戻り、ＣＰＵ１１は、操作部２２を介してユーザから次へボタンＢ３がタッチ入力されたか否かを判別する（ステップＳ２５）。次へボタンＢ３がタッチ入力されていない場合（ステップＳ２５；ＮＯ）、ステップＳ２４に移行される。次へボタンＢ３がタッチ入力された場合（ステップＳ２５；ＹＥＳ）、ＣＰＵ１１は、ステップＳ２４で入力された訴求種類及びスタイルのテンプレート選択情報に対応するテンプレートＩＤをＨＰ情報テーブル５０のテンプレートＩＤ５２に格納して登録する（ステップＳ２６）。
【００８１】
そして、ＣＰＵ１１は、コンテンツ入力画面データを作成して表示部２４に表示し、操作部２２を介するユーザからの、ホームページに掲載するコンテンツに関するコンテンツ情報の入力を受け付ける（ステップＳ２７）。ステップＳ２７では、例えば、図１０に示すコンテンツ入力画面４００が表示される。
【００８２】
コンテンツ入力画面４００は、固定表示領域ＦＡ０，ＦＡ３と、テンプレート表示領域４１０と、複数のコンテンツごとのコンテンツ入力領域４２０と、を有する。固定表示領域ＦＡ３は、表示部２４の表示画面の下側の固定表示領域であり、戻るボタンＢ１と、プレビューボタンＢ４と、次へボタンＢ５と、を有する。
【００８３】
テンプレート表示領域４１０は、スクロール可能で、ステップＳ２６で登録されたテンプレートのイメージ及び説明を表示する領域であり、テンプレート変更ボタン４１１を有する。テンプレート変更ボタン４１１は、登録中のテンプレートの変更入力を受け付ける処理を起動するタッチ入力を受け付けるボタンであり、例えば、ステップＳ２４に戻る処理が実行される。
【００８４】
コンテンツ入力領域４２０は、スクロール可能で、例えば、メイン画像、ロゴ画像、キャッチコピー、メニューのコンテンツごとに設けられ、ホームページに掲載するコンテンツに関するコンテンツ情報の入力を受け付ける領域である。メイン画像のコンテンツ入力領域４２０において、ＣＰＵ１１は、操作部２２を介するユーザからの操作入力に応じて、ユーザテーブル３０の画像場所３４に対応して記憶部１５に記憶されている画像データ、追加した画像データ中の登録する画像データ選択の入力又は記憶部２５に記憶されている画像データをメイン画像として、新規追加又は追加した画像データ中の登録する画像データ選択の入力を受け付ける。
【００８５】
ロゴ画像のコンテンツ入力領域４２０において、ＣＰＵ１１は、操作部２２を介するユーザからの操作入力に応じて、ユーザテーブル３０の画像場所３４に対応して記憶部１５に記憶されている画像データ、又は記憶部２５に記憶されている画像データをロゴ画像として、新規追加又は追加した画像データ中の登録する画像データ選択の入力を受け付ける。キャッチコピーのコンテンツ入力領域４２０において、ＣＰＵ１１は、操作部２２を介するユーザからの操作入力に応じて、キャッチコピーの文字入力を受け付ける。
【００８６】
メニューのコンテンツ入力領域４２０において、ＣＰＵ１１は、操作部２２を介するユーザからの操作入力に応じて、記憶部１５又は記憶部２５に記憶されている予め作成されたメニューファイルの選択入力を受け付ける。
【００８７】
プレビューボタンＢ４は、ホームページデータのプレビュー表示のタッチ入力を受け付けるボタンである。プレビューボタンＢ４がタッチ入力されると、ＣＰＵ１１は、その時点までにステップＳ２３，Ｓ２６，Ｓ２７で登録又は入力された基本情報、テンプレート、コンテンツ情報を用いてプレビュー用のホームページデータを作成して表示部２４に表示する。
【００８８】
次へボタンＢ５は、コンテンツ入力領域４２０で入力されたコンテンツ情報を登録し次の画面に遷移するタッチ入力を受け付けるボタンである。
【００８９】
図６に戻り、ＣＰＵ１１は、操作部２２を介してユーザから次へボタンＢ５がタッチ入力されたか否かを判別する（ステップＳ２８）。次へボタンＢ５がタッチ入力されていない場合（ステップＳ２８；ＮＯ）、ステップＳ２７に移行される。次へボタンＢ５がタッチ入力された場合（ステップＳ２８；ＹＥＳ）、ＣＰＵ１１は、ステップＳ２７で入力されたコンテンツ情報（掲載するメイン画像、ロゴ画像の画像データに関する情報、飲食店舗のキャッチコピー、メニュー情報）をＨＰ情報テーブル５０のＨＰ掲載情報５６に格納して登録する（ステップＳ２９）。
【００９０】
そして、ＣＰＵ１１は、詳細情報入力画面データを作成して表示部２４に表示し、操作部２２を介するユーザからの詳細情報の入力を受け付ける（ステップＳ３０）。ステップＳ３０では、例えば、図１１に示す詳細情報入力画面５００が表示される。
【００９１】
詳細情報入力画面５００は、固定表示領域ＦＡ０，ＦＡ４と、テンプレート表示領域５１０と、複数の詳細情報ごとの詳細情報入力領域５２０と、を有する。固定表示領域ＦＡ４は、表示部２４の表示画面の下側の固定表示領域であり、戻るボタンＢ１と、プレビューボタンＢ６と、次へボタンＢ７と、を有する。
【００９２】
テンプレート表示領域５１０は、テンプレート表示領域４１０と同様である。詳細情報入力領域５２０は、例えば、喫煙可否、喫煙の特記事項、駐車場、営業時間、定休日、平均予算、支払方法、最寄り駅、アクセス情報、地図情報、店舗紹介文、店舗紹介文の特記事項などの詳細情報ごとに設けられ、ホームページに掲載する詳細情報の入力を受け付ける領域である。各詳細情報の詳細情報入力領域５２０において、ＣＰＵ１１は、操作部２２を介するユーザからの操作入力に応じて、詳細情報の文字入力や選択入力を受け付ける。
【００９３】
プレビューボタンＢ６は、ホームページデータのプレビュー表示のタッチ入力を受け付けるボタンである。プレビューボタンＢ６がタッチ入力されると、ＣＰＵ１１は、その時点までにステップＳ２３，Ｓ２６，Ｓ２９，Ｓ３０で登録又は入力された基本情報、テンプレート、コンテンツ情報、詳細情報を用いてプレビュー用のホームページデータを作成して表示部２４に表示する。
【００９４】
次へボタンＢ７は、詳細情報入力領域５２０で入力された詳細情報を登録し次の画面に遷移するタッチ入力を受け付けるボタンである。
【００９５】
図６に戻り、ＣＰＵ１１は、操作部２２を介してユーザから次へボタンＢ７がタッチ入力されたか否かを判別する（ステップＳ３１）。次へボタンＢ７がタッチ入力されていない場合（ステップＳ３１；ＮＯ）、ステップＳ３０に移行される。次へボタンＢ７がタッチ入力された場合（ステップＳ３１；ＹＥＳ）、ＣＰＵ１１は、ステップＳ２３，Ｓ２６，Ｓ２９，Ｓ３０で登録又は入力された基本情報、テンプレート、コンテンツ情報、詳細情報を用いてホームページデータを作成して記憶部１５に記憶し、当該詳細情報をＨＰ情報テーブル５０のＨＰ掲載情報５６に格納して登録する（ステップＳ３２）。ステップＳ３２において、ＣＰＵ１１は、選択されたテンプレートに、掲載する情報（基本情報、画像データ、コンテンツ情報（ＰＯＰデータ含む）、詳細情報など）を当て嵌めてホームページデータを作成する。
【００９６】
そして、ＣＰＵ１１は、最終確認画面データを作成して表示部２４に表示し、操作部２２を介するユーザからのホームページの公開設定情報の入力を受け付ける（ステップＳ３３）。ステップＳ３３では、例えば、図１２に示す最終確認画面６００が表示される。
【００９７】
最終確認画面６００は、固定表示領域ＦＡ０，ＦＡ５と、プレビュー表示領域６１０と、複数の公開設定情報ごとの公開設定情報入力領域６２０と、を有する。固定表示領域ＦＡ５は、表示部２４の表示画面の下側の固定表示領域であり、戻るボタンＢ１と、完了ボタンＢ８と、を有する。
【００９８】
プレビュー表示領域６１０は、ステップＳ３２で作成されたホームページデータの表示領域である。公開設定情報入力領域６２０は、例えば、ホームページのＵＲＬ、公開有無などの公開設定情報ごとに設けられ、ホームページに関する公開設定情報の入力を受け付ける領域であり、特に「（ホームページデータを）登録後すぐに公開する」の設定入力も受け付ける。各公開設定情報の公開設定情報入力領域６２０において、ＣＰＵ１１は、操作部２２を介するユーザからの操作入力に応じて、公開設定情報の文字入力や選択入力を受け付ける。
【００９９】
完了ボタンＢ８は、公開設定情報入力領域６２０で入力された公開設定情報を登録しＨＰデータ作成処理を完了するタッチ入力を受け付けるボタンである。
【０１００】
図６に戻り、ＣＰＵ１１は、操作部２２を介してユーザから完了ボタンＢ８がタッチ入力されたか否かを判別する（ステップＳ３４）。完了ボタンＢ８がタッチ入力されていない場合（ステップＳ３４；ＮＯ）、ステップＳ３３に移行される。完了ボタンＢ８がタッチ入力された場合（ステップＳ３４；ＹＥＳ）、ＣＰＵ１１は、ステップＳ３３で入力された公開設定情報をＨＰ情報テーブル５０のＨＰ掲載情報５６に格納して登録し、計時部１７から取得した現在日時情報を作成日時５３に格納する（ステップＳ３５）。
【０１０１】
そして、ＣＰＵ１１は、ステップＳ３３で入力された公開設定情報で「登録後すぐに公開する」が設定されているか否かを判別する（ステップＳ３６）。「登録後すぐに公開する」が設定されていない場合（ステップＳ３６；ＮＯ）、ＨＰデータ作成処理が終了する。「登録後すぐに公開する」が設定されている場合（ステップＳ３６；ＹＥＳ）、ＣＰＵ１１は、ステップＳ３２で記憶部１５に記憶された作成後のホームページデータを、「ＨＰのアドレス（ＵＲＬ）」に相当する場所（例えば、記憶部１５のＵＲＬに対応する公開用のフォルダ）に格納して、当該ＵＲＬでの一般的な端末装置へのホームページ公開設定を行い（ステップＳ３７）、ＨＰデータ作成処理を終了する。
【０１０２】
ここで、図１３〜図１６を参照して、ＨＰデータ作成処理により作成された訴求種類別のホームページの表示例を説明する。
【０１０３】
図１３に示すように、訴求種類がベーシックのホームページとして、例えば、ホームページＨ１が作成される。ホームページＨ１は、訴求種類がベーシックのテンプレートにより、縦方向に上から下へ、店舗名Ｈ１１、キャッチコピーＨ１２、電話番号Ｈ１３、メイン画像Ｈ１４、ＨＰメニューＨ１５、ニュース情報Ｈ１６、メニュー情報Ｈ１７、カレンダー情報（図示略）、イベント情報（図示略）、ショップ情報（地図、基本情報、詳細情報）（図示略）、ギャラリー（画像データ）（図示略）が順に並べられている。ニュース情報Ｈ１６は、ＰＯＰデータＰＯ１，ＰＯ２を含む。
【０１０４】
図１４に示すように、訴求種類がイベント訴求のホームページとして、例えば、ホームページＨ２が作成される。ホームページＨ２は、訴求種類がイベント訴求のテンプレートにより、縦方向に上から下へ、店舗名Ｈ２１、キャッチコピーＨ２２、カレンダー情報Ｈ２３、イベント情報Ｈ２４、ギャラリー（図示略）、ニュース情報（図示略）、メニュー情報（図示略）、ショップ情報（図示略）が順に並べられている。イベント訴求において重要なカレンダー情報Ｈ２３、イベント情報Ｈ２４が、ホームページＨ２の上方に配置されており、ユーザが他の情報よりも先に確認できる。
【０１０５】
図１５に示すように、訴求種類がＰＯＰ訴求のホームページとして、例えば、ホームページＨ３が作成される。ホームページＨ３は、訴求種類がＰＯＰ訴求のテンプレートにより、縦方向に上から下へ、店舗名Ｈ３１、キャッチコピーＨ３２、店舗紹介文Ｈ３３、ニュース情報Ｈ３４、メニュー情報Ｈ３５、ギャラリー（図示略）、カレンダー情報（図示略）、イベント情報（図示略）、ショップ情報（図示略）が順に並べられている。ニュース情報Ｈ３４は、含まれるＰＯＰデータＰＯ１，ＰＯ２，ＰＯ３のうち選択中のＰＯＰデータＰＯ２を拡大したＰＯＰデータＰＯ２ａが表示されている。ＰＯＰ訴求において重要なＰＯＰデータを含むニュース情報Ｈ３４が、ホームページＨ３の上方に配置されており、ユーザが他の情報よりも先に確認できる。
【０１０６】
図１６に示すように、訴求種類がコンセプト訴求のホームページとして、例えば、ホームページＨ４が作成される。ホームページＨ４は、訴求種類がコンセプト訴求のテンプレートにより、縦方向に上から下へ、メイン画像Ｈ４１、店舗名Ｈ４２、キャッチコピーＨ４３、サブ画像Ｈ４４、店舗紹介文Ｈ４５、ギャラリー（画像データ）Ｈ４６、メニュー情報（図示略）、ニュース情報（図示略）、カレンダー情報（図示略）、ショップ情報（図示略）が順に並べられている。コンセプト訴求において重要なメイン画像情報Ｈ４１、サブ画像Ｈ４４、店舗紹介文Ｈ４５が、ホームページＨ４の上方に配置されており、ユーザが他の情報よりも先に確認できる。
【０１０７】
ついで、図１７を参照して、ＨＰサーバ１０で実行されるＨＰ更新提案処理を説明する。ＨＰ更新提案処理は、ユーザ（飲食店舗）の公開中のホームページデータの状況に応じて、当該ホームページデータのテンプレート（訴求種類）の更新を提案する処理であり、所定期間（例えば、１日）ごとに繰り返し実行されるものとする。
【０１０８】
ＨＰサーバ１０において、計時部１７から取得される現在日時情報がＨＰ更新提案処理実行の所定期間経過のタイミングとなったことをトリガとして、ＣＰＵ１１は、記憶部１５から読み出されＲＡＭ１３に展開されたＨＰ更新管理プログラムＰ２との協働でＨＰ更新管理処理を実行する。
【０１０９】
図１７に示すように、まず、ＣＰＵ１１は、記憶部１５のＨＰ掲載情報５６のイベント情報を参照し、計時部１７から取得した現在日時情報がイベント情報のイベント日から所定日以内であるホームページ（ＨＰＩＤ５１）があるか否かを判別する（ステップＳ４１）。イベント日から所定日以内のホームページがある場合（ステップＳ４１；ＹＥＳ）、ＣＰＵ１１は、記憶部１５のテンプレートテーブル４０を参照し、イベント日から所定日以内のホームページのＨＰＩＤ５１のテンプレートＩＤ５２に対応する訴求種類４２がイベント訴求以外であるか否かを判別する（ステップＳ４２）。
【０１１０】
イベント訴求以外である場合（ステップＳ４２；ＹＥＳ）、ＣＰＵ１１は、作成し公開中のホームページデータに対応するテンプレートを、イベント訴求のテンプレートへ更新する提案のメールを作成し、記憶部１５のユーザテーブル３０を参照し、取得したＨＰＩＤ５１に対応するＨＰ情報３１のメールアドレス３７に、作成したメールを送信し（ステップＳ４３）、ＨＰ更新提案処理を終了する。
【０１１１】
イベント日から所定日以内のホームページがない場合（ステップＳ４１；ＮＯ）、又はイベント訴求である場合（ステップＳ４２；ＮＯ）、ＣＰＵ１１は、取得したＨＰ掲載情報５６のＰＯＰＩＤ５５を参照し、登録したＰＯＰデータ数（ＰＯＰＩＤ５５のＰＯＰＩＤ数）が所定数以上のホームページ（ＨＰＩＤ５１）があるか否かを判別する（ステップＳ４４）。登録したＰＯＰデータ数が所定数以上のホームページがない場合（ステップＳ４４；ＮＯ）、ＨＰ更新提案処理が終了する。
【０１１２】
登録したＰＯＰデータ数が所定数以上のホームページがある場合（ステップＳ４４；ＹＥＳ）、ＣＰＵ１１は、記憶部１５のテンプレートテーブル４０を参照し、ＰＯＰデータ数が所定数以上のホームページのＨＰＩＤ５１のテンプレートＩＤ５２に対応する訴求種類４２がＰＯＰ訴求以外であるか否かを判別する（ステップＳ４５）。ＰＯＰ訴求である場合（ステップＳ４５；ＮＯ）、ＨＰ更新提案処理が終了する。
【０１１３】
ＰＯＰ訴求以外である場合（ステップＳ４５；ＹＥＳ）、ＣＰＵ１１は、作成し公開中のホームページデータに対応するテンプレートを、ＰＯＰ訴求のテンプレートへ更新する提案のメールを作成し、記憶部１５のユーザテーブル３０を参照し、取得したＨＰＩＤ５１に対応するＨＰＩＤ３５のメールアドレス３７に、作成したメールを送信し（ステップＳ４６）、ＨＰ更新提案処理を終了する。
【０１１４】
ステップＳ４３，Ｓ４６においてテンプレート（訴求種類）の変更を提案されたユーザは、例えば、ホームページ作成支援システム１において、ＨＰデータ管理処理を起動し、ステップＳ８におけるＨＰ設定ボタン１１０のタッチ入力により、ステップＳ９において公開中のホームページデータのテンプレート（訴求種類）を、提案された訴求種類のテンプレートに更新する。
【０１１５】
以上、本実施の形態によれば、ＨＰサーバ１０は、ホームページでの訴求種類の複数のテンプレートを表示部２４に表示し、当該複数のテンプレートから選択された訴求種類のテンプレートに、ホームページに掲載する掲載情報（基本情報、画像データ、コンテンツ情報（ＰＯＰデータ含む）、詳細情報など）が当て嵌められたホームページを表示部２４にプレビュー表示するＣＰＵ１１を備える。
【０１１６】
このため、目的に合うように訴求種類ごとのテンプレートを自在に選択でき、選択したテンプレートを用いたホームページを容易に事前確認できる。
【０１１７】
また、複数のテンプレートは、訴求種類に応じて複数の掲載情報の配置の順番が異なる。このため、ホームページにおける掲載情報の配置の順番を容易に事前確認できる。
【０１１８】
また、ＣＰＵ１１は、複数のテンプレートのそれぞれに対応するスタイル（配色）を表示部２４に表示し、選択された訴求種類及びスタイル（配色）に対応するテンプレートに、ホームページに掲載する掲載情報が当て嵌められたホームページを表示部２４にプレビュー表示する。このため、ホームページの訴求種類のスタイル（配色）を容易に事前確認できる。なお、スタイルは、配色、文字の大きさ、フォント、背景画像の少なくとも１つであることとしてもよい。
【０１１９】
また、ＣＰＵ１１は、スタイル（配色）が選択された場合に、選択されたスタイル（配色）に対応するテンプレートを表示部２４に表示する。このため、ホームページの訴求種類のスタイル（配色）ごとのテンプレートを目視により容易に確認でき、ホームページの所望の訴求種類のスタイル（配色）を事前に確認できる。
【０１２０】
また、ＣＰＵ１１は、プレビュー表示されたホームページに基づいて、ホームページデータを作成する。このため、所望の訴求種類のテンプレートを用いたホームページデータを作成でき、作成したホームページデータを公開されるべき場所に格納することで、ホームページを容易に公開できる。
【０１２１】
また、ＣＰＵ１１は、所定の事象（イベント日まで所定日以内、登録ＰＯＰデータが所定数以上）が生じたタイミングに応じて、作成されたホームページデータのテンプレートを当該事象に対応する訴求種類のテンプレートへ更新する提案を行う。このため、ホームページデータについて適切な訴求種類のテンプレートへ容易に更新できる。なお、提案方法は、メール通知に限定されるものではなく、端末装置２０へのプッシュ通知など、他の提案方法としてもよい。
【０１２２】
以上の説明では、本発明に係るプログラムのコンピュータ読み取り可能な媒体としてフラッシュメモリなどの不揮発性の記憶部を使用した例を開示したが、この例に限定されない。その他のコンピュータ読み取り可能な媒体として、ＣＤ−ＲＯＭ、メモリカードなどの可搬型記録媒体を適用することが可能である。また、本発明に係るプログラムのデータを通信回線を介して提供する媒体として、キャリアウエーブ（搬送波）も本発明に適用される。
【０１２３】
なお、上記実施の形態における記述は、本発明に係るホームページ作成支援装置及びプログラムの一例であり、これに限定されるものではない。
【０１２４】
例えば、上記実施の形態では、ネット予約、ＳＮＳ（Social Networking Service）に関する情報がホームページデータ及びテンプレートに配置されない例を説明したが、これに限定されるものではない。ネット予約、ＳＮＳに関する情報など、他の掲載情報が、ホームページデータ及びテンプレートに配置される構成としてもよい。
【０１２５】
また、上記実施の形態では、飲食店舗におけるホームページデータを作成する構成を説明したが、これに限定されるものではない。飲食店舗以外の他業種に、上記実施の形態のホームページデータを作成する構成を適用することとしてもよい。
【０１２６】
また、上記実施の形態におけるホームページ作成支援システム１の各構成要素の細部構成及び細部動作に関しては、本発明の趣旨を逸脱することのない範囲で適宜変更可能であることは勿論である。
【０１２７】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ホームページでの訴求種類の複数のテンプレートを表示する第１表示制御手段と、
前記複数のテンプレートから選択された訴求種類のテンプレートに、ホームページに掲載する掲載情報が当て嵌められたホームページをプレビュー表示する第２表示制御手段と、を備えるホームページ作成支援装置。
＜請求項２＞
前記複数のテンプレートは、訴求種類に応じて複数の掲載情報の配置の順番が異なる請求項１に記載のホームページ作成支援装置。
＜請求項３＞
前記第１表示制御手段は、前記複数のテンプレートのそれぞれに対応する複数のスタイルを表示し、
前記第２表示制御手段は、前記選択された訴求種類及びスタイルに対応するテンプレートに、ホームページに掲載する掲載情報が当て嵌められたホームページをプレビュー表示する請求項１又は２に記載のホームページ作成支援装置。
＜請求項４＞
前記スタイルは、配色、文字の大きさ、フォント、背景画像の少なくとも１つである請求項３に記載のホームページ作成支援装置。
＜請求項５＞
前記第１表示制御手段は、前記スタイルが選択された場合に、当該選択されたスタイルに対応するテンプレートを表示する請求項３又は４に記載のホームページ作成支援装置。
＜請求項６＞
前記プレビュー表示されたホームページに基づいて、ホームページデータを作成する作成手段を備える請求項１から５のいずれか一項に記載のホームページ作成支援装置。
＜請求項７＞
所定の事象が生じたタイミングに応じて、前記作成されたホームページデータのテンプレートを当該事象に対応する訴求種類のテンプレートへ更新する提案を行う提案手段を備える請求項６に記載のホームページ作成支援装置。
＜請求項８＞
コンピュータを、
ホームページでの訴求種類の複数のテンプレートを表示する第１表示制御手段、
前記複数のテンプレートから選択された訴求種類のテンプレートに、ホームページに掲載する掲載情報が当て嵌められたホームページをプレビュー表示する第２表示制御手段、
として機能させるためのプログラム。
【符号の説明】
【０１２８】
１  ホームページ作成支援システム
１０  ＨＰサーバ
１１  ＣＰＵ
１２  操作部
１３  ＲＡＭ
１４  表示部
１５  記憶部
１６  通信部
１７  計時部
１８  バス
２０  端末装置
２１  ＣＰＵ
２２  操作部
２３  ＲＡＭ
２４  表示部
２５  記憶部
２６  無線通信部
２７  撮像部
２８  通話部
２９  バス
Ｎ  通信ネットワーク
【図１】
2020091715.tif 000003
【図２】
2020091715.tif 000004
【図３】
2020091715.tif 000005
【図４】
2020091715.tif 000006
【図５】
2020091715.tif 000007
【図６】
2020091715.tif 000008
【図７】
2020091715.tif 000009
【図８】
2020091715.tif 000010
【図９】
2020091715.tif 000011
【図１０】
2020091715.tif 000012
【図１１】
2020091715.tif 000013
【図１２】
2020091715.tif 000014
【図１３】
2020091715.tif 000015
【図１４】
2020091715.tif 000016
【図１５】
2020091715.tif 000017
【図１６】
2020091715.tif 000018
【図１７】
2020091715.tif 000019